(57)【要約】      （修正有）【課題】構造をシンプル化し、実用性の向上を図る昇降調整式自動ブルーワーの提供。【解決手段】カップ１、逆止弁２、昇降座３を主な構造とし、カップ１と昇降座３との間のウェーブ形対称構造により、カップ１を昇降座３の上で回転させると高さが変化する仕組みに構成し、また、カップ１の底に設けたドロップ穴１１の逆止弁２と昇降座３のスティック３４を対応させて、カップ１が昇降座３の上で上下した時のカップ１の逆止弁２とスティック３４の分離または接触動作により、逆止弁２に開、閉及び水量調整の切り替え機能を持たせる。【選択図】図１
0003113882.tif 000002
【実用新案登録請求の範囲】
【請求項１】
カップと、前記カップの底部に設けられた逆止弁と、前記カップの下に設けられた昇降座とを備え、
前記カップは底部にバルブスロットを有するドロップ穴と縦方向に弧形の凸部が設けられ、
前記逆止弁は前記バルブスロットの内側に、前記バルブスロットの中央穴と前記ドロップ穴に対応するシールドパッキンと、前記バルブスロットに設けられた柵穴付き柵と、前記シールドパッキンと前記柵との間に設けられたボールバルブとを有し、前記ボールバルブを重力の働きで前記シールドパッキンの中央穴に封じ込め、前記ドロップ穴を閉じるという仕組みに構成され、
前記昇降座は、上部に前記カップのドロップ穴に突出するスティックを有し、前記カップを置くことができるスティックを有するカップ槽と、前記カップ槽の内側に前記カップ底部の弧形の凸部に対応して設けられ、縦方向にうねり形状の環状の昇降ガイドレールとを具備し、前記カップが昇降調整可能に構成されることを特徴とする昇降調整式自動ブルーワー。
【請求項２】
シールドパッキンに中央穴を基準として環状溝を有する請求項１に記載の昇降調整式自動ブルーワー。
【請求項３】
昇降座の下に口及び前記口の片方に突出する給水口を有する受けポットを備え、前記昇降座のトップ外周にストッパーを有し、また外壁に固定用ブロックを設置され、前記昇降座を前記受けポットの口にセッティングした時に、前記ストッパーの作用により、前記昇降座が前記受けポットの中に滑り込むのを防止し、前記固定用ブロックを前記給水口の内側に組み合わせることにより前記昇降座が前記受けポットの口でずれて回転するのを防止する仕組みに構成される請求項１又は２に記載の昇降調整式自動ブルーワー。
【請求項４】
カップの内側に内容物を入れるための錐形ラックを備え、前記錐形ラックの両側に斜め切り穴、底に穴が設けられ、前記斜め切り穴と前記底穴にフィルターが付けられる請求項１乃至３のいずれかに記載の昇降調整式自動ブルーワー。
【考案の詳細な説明】
【技術分野】
【０００１】
本考案は、お茶やコーヒーを入れるための昇降調整式自動ブルーワーに関する。
【背景技術】
【０００２】
従来から、お茶やコーヒーを入れるための簡易式ポットが提案されており、ブルーワーで、複雑な設備や器具を使用しなくても水出し具合を制御でき、お茶やコーヒーを、手軽に、風味を損なうことなく、美味しく入れることができる。
【０００３】
この種のブルーワーが特許文献１に記載されている。この特許文献１は「ブルーワーの制御機構」に関するもので、特に、ドリップ機能を制御できるブルーワーについて提案されている。このブルーワーでは、容器を貫くボリウム、スプリング、連結棒等の複雑な連動装置によって逆止機能を持たせている。
【特許文献１】台湾特許公告第５９２１０５番
【考案の開示】
【考案が解決しようとする課題】
【０００４】
しかしながら、従来の技術あるいは手法では、複雑な部品を必要とするため、製造難度が高く、部品点数が余りにも多いために、組み立ての便利性と強度も低下せざるを得ない。また、特に従来の形式のポットは分解洗浄が大変なうえ、複雑な連動構造に汚れや細菌が溜まり易く、衛生面で心配がある。他面で、従来の形式のポットを無理やりに分解しようとすれば、複雜な構造のために、パーツを紛失する恐れがある。さらに、従来の形式のポットの場合、水出しの際に操作ボタンを長押ししていなければならず、手を離すと水出しが中断されるため、使用上、いささか不都合と言わざるを得ない。
【０００５】
本考案は、このような従来の課題に鑑みなされたもので、この種のブルーワーにおいて、複雑かつ組み立て難い連動部品を不要とするなど、構造をシンプル化すること、また、取り外しが簡単で、製造、組み立て及び清掃が容易で、汚れや細菌が溜まる心配がないこと、さらに、水出し操作の際、操作部を長押しする必要がなく、手動操作を全く不要とするなど、実用性の向上を図ること、を目的とする。
【課題を解決するための手段】
【０００６】
上記課題を解決するために、本考案の昇降調整式自動ブルーワーは、従来の形式の水出し連動構造に改良を加え、カップに段差を付けることでバルブに変化を持たせるようにしたものである。すなわち、このブルーワーは、カップ、逆止弁、昇降座を主要な構成部品として備える。その特徴は、カップの底部にドロップ穴があり、ドロップ穴にはバルブスロットが設けられる。また、カップの底には縦方向の弧形凸部がある。カップのバルブスロットに逆止弁が設けられる。逆止弁はバルブスロットの中央穴とドロップ穴に対応するシールドパッキン、バルブスロットにある柵穴付き柵、柵とシールドパッキンの間にあるボールバルブを利用して、重力の働きでボールバルブをシールドパッキンの中央穴に封じ込め、ドロップ穴を閉じるという仕組みになっている。カップの下には昇降座が設けられる。昇降座の上にはカップ槽があり、カップを置くことができる。カップ槽の内側にカップの底の弧形凸部に対応する環状縦方向にうねり（形状）の昇降ガイドレールを有し、また、昇降座の内側にスティックが設けられ、またカップのドロップ穴に突出するスティックが設けられる。このようにして、カップ、逆止弁、昇降座を主な構造とし、カップと昇降座との間のウェーブ形対称構造により、カップを昇降座の上で回転させると高さが変化する仕組みに構成され、カップの底に設けられたドロップ穴の逆止弁と昇降座のスティックが対応しており、カップが昇降座の上で上下した時のカップの逆止弁とスティックの分離または接触動作により、逆止弁に開、閉及び水量調整の切り替え機能を持たせる。
【０００７】
また、このブルーワーの場合、さらに次のような構成を有する。シールドパッキンに中央穴を基準とした環状溝が設けられる。また、昇降座のトップ外周にストッパーがあり、昇降座の外壁には一つの固定用ブロックが設置される。このようにして昇降座の下に受けポットが設けられ、昇降座をポットの口にセッティングした時に、ストッパーの作用により、昇降座が受けポットの中に滑り込むのを防止し、また、受けポットの片方は突出した給水口となっており、昇降座の外壁にある固定用ブロックと給水口内側を組み合わせると、昇降座が受けポットの口でずれて回転してしまうのを防止する仕組みにする。さらに、カップの内側に内容物を入れるための錐形ラックが設けられる。この場合、ラックの両側には斜め切り穴、底に穴が設けられ、斜め切り穴と底穴にフィルターが付けられる。
【考案の効果】
【０００８】
本考案の昇降調整式自動ブルーワーは、上記構成を有し、カップと昇降座の間はウェーブ形対称構造になっており、カップを回すと昇降動作をする。カップが上昇することにより、スティックはボールバルブと接触せず、カップが下降することにより、スティックがボールバルブと接触する。このような簡易な方式により、本発明は先行技術のような複雑かつ組み立て難い連動部品を不要とすることができる。また、本発明は取り外しが簡単な構成となっており、製造、組立て及び清掃がしやすく、汚れや細菌が溜まる心配はない。さらに、水出し操作の際、操作部を長押しする必要がなく、手動操作は全く不要で、既存のブルーワー連動技術と比較して、本発明の機能はより優れたものとなる。
【考案を実施するための最良の形態】
【０００９】
以下、本考案の一実施の形態における昇降調整式自動ブルーワー、特に制御構造について図面を参照しながら説明する。図１に分解して示すように、制御構造１０は主に一つのカップ１、一つの逆止弁２、一つの昇降座３により構成される。この組み立て後の状態は図２に示すとおりである。
【００１０】
図１又は図３に示すように、カップ１の底には、ドロップ穴１１があり、ドロップ穴１１にはバルブスロット１２が設けられる。また、カップの底にはカップ受け１３があり、カップ受け１３の底には縦方向の弧形凸部１４が設けられる。
【００１１】
逆止弁２はバルブスロット１２の内側に設けられ、シールドパッキン２１、柵２２、ボールバルブ２３により構成される。この場合、シールドパッキン２１はバルブスロット１２の底に設置され、一つの中央穴２１１及び表面に環状溝２１２を有する。柵２２はバルブスロット１２上に設置され、柵穴２２１を有する。ボールバルブ２３は柵２２とシールドパッキン２１との間に設けられ、自然の重力の働きによりこのボールバルブ２３が常にシールドパッキン２１の中央穴２１１にて封圧ＷＰ保持されてドロップ穴を閉じる（図７を参照）という仕組みになっている。
【００１２】
昇降座３はカップ１の下に設けられる。この昇降座３の上には一つのカップ槽３１があり、カップ１を置くことができる。カップ槽３１の内側のカップ１の底の弧形凸部１４が対応する部分に環状縦方向うねり（ウェーブ）状の昇降ガイドレール３２があり、また、昇降座３の内側（カップ１の座面）にはスティック３３が設けられ、その中心にドロップ穴１１に突出するスティック３４が設けられる。
【００１３】
図４乃至図８に制御構造１０の動作を示す。図４及び図５はカップ１を回転させた時に生じる下降動作と上昇動作をそれぞれ示している。カップ１が昇降座３の上で回転方向に移動すると、カップ１の底の弧形凸部１４は昇降座３の昇降ガイドレール３２に当たる。昇降ガイドレール３２はウェーブ状のうねりを有しているため、カップ１を回転させると、カップ１は昇降ガイドレール３２の段差うねりに従って上下する。
【００１４】
図６及び図７にカップ１が昇降座３の上で上昇した時の昇降座３のスティック３４とボールバルブ２３との関係を示す。図６に示すように、カップ１が昇降座３の上で上昇した時、昇降座３のスティック３４はボールバルブ２３と接触せず、シールドパッキン２１に封じ込められているため、カップ１の中に入っている液体は滴下できない。図７に示すように、ボールバルブ２３をシールドパッキン２１に封じ込めた時、シールドパッキン２１の貫通穴２１１はボールバルブ２３の強い圧迫により外側に向かって拡張する。これはシールドパッキン２１の表面の環状溝２１２の影響により、穴に縦方向の圧力が掛かったためである。この作用によりボールバルブ２３とシールドパッキン２１の密着効果が一層高められ、より高い浸入、漏れ防止機能を発揮する。
【００１５】
図８にカップ１が昇降座３の上で下降した時の昇降座３のスティック３４とボールバルブ２３との関係を示す。図８に示すように、カップ１が下降するとスティック３４はボールバルブ２３に当たってボールバルブ２３が上昇するため、ボールバルブ２３とシールドパッキン２１は離れて封圧状態は解除され、カップ１の中に入っている液体をドロップ穴１１から流し出すことができる。
【００１６】
図９乃至図１５はこの制御構造１０を備えたブルーワーの一実施の形態を示している。図９及び図１０に示すように、ブルーワー１００は既述の制御構造１０（カップ１、逆止弁２、昇降座３）、及び受けポット４、ラック５、カップ蓋６から構成される。
【００１７】
この場合、制御構造１０に受けポット４、ラック５、カップ蓋６が設置される関係で、カップ１と昇降座３に次のような結合、組み立て構造が追加される。カップ１の内側にラック５を設置するための凸階部１５、カップの上部にはカップ蓋６を設置するための枢着部１６が設けられる。昇降座３のトップ外周にはストッパー３５が設けられ、ストッパー３５の下と外壁には固定用ブロック３６があり、固定用ブロック３６の下に位置する昇降座３の外壁は欠け口３７が設置される。
【００１８】
受けポット４は昇降座３の下に設けられ、ストッパー３５の働きにより昇降座３が受けポット４の中に落下するのを防止できる。また、受けポット４の片側開口部は突出した給水口４１を有する。
【００１９】
ラック５は錐形の形をしており、茶葉やコーヒー豆等を入れることができる。この錐形ラック５の両側には斜めの切り穴５１、底部には貫通穴５２が設けられ、斜め切り穴５１と貫通穴５４の上にはフィルター５３、５４が付いており、茶葉やコーヒー豆のカスが落下しない仕組みになっている。
【００２０】
図１１及び図１２に制御構造１０（カップ１、逆止弁２、昇降座３）、及び受けポット４、ラック５、カップ蓋６を組み合せた後の構造を示している。図１１に示すように、昇降座３に欠け口３７を設けることで、ポット４を使用した際に液体が滞りなく、スムーズに流れ出るような仕組みとなっている。図１２に示すように、昇降座３の固定用ブロック３６と給水口４１内側を結合させることで、昇降座３が受けポット４の口内でずれて回転するのを防止できる。
【００２１】
図１３乃至図１５にブルーワー１００の使用例を示している。ブルーワー１００を使用する時、図１３に示すように、使用者はカップ１（カップの耳或いはその他の部位）を持ったまま、少し回転させてカップ１を上昇（上昇の仕組みについては図４、図５の制御構造１０に関する動作説明を参照）させると、逆止弁２は密閉状態となり、操作者はカップ１の中に内容物（茶葉、コーヒー粉、花びら、漢方薬、ジャスミン茶など）を入れて、お湯を注ぎ、図１４に示すように、カップ蓋６を被せる。時間になったらカップ１を回して下降させる。この時、図１５に示すように、逆止弁２は開放状態となり、カップ１の中の液体は自然の重力の働きにより、逆止弁２を伝ってドロップ穴１１から流れ出て、受けポット４に入る。また、カップ１の昇降する高さによってバルブ２の開放具合（即ちボールバルブ２３とシールドパッキン２１の間の距離）が変わるため、その作用を利用して水出しのスピードと流量を調整することができる。さらに、飲み終わった後はラック５のフィルターを使って内容物７を片付けたり、交換することができる。この制御構造１０によるドリップ制御では、既存の構造よりもシンプルで、細々としたパーツを必要としないため、気軽に取り外して清掃することができる。なお、既述のブルーワー１００は制御構造１０の代表実施例であり、類似した器具のドリップ機構は全て本願発明の制御構造１０を利用することが可能である。
【００２２】
図面に基づく本願考案の詳細な説明は以上のとおりである。本願考案における関連構造の実施の形態を利用した場合は、本願考案の要旨を超えない同等の変更実施例である限り、全て本願考案の範疇に含まれるものである。
【図面の簡単な説明】
【００２３】
【図１】本考案の一実施の形態における昇降調整式自動ブルーワーの、特に制御構造の構成を示す分解斜視図
【図２】同制御構造の組み立て後の斜視図
【図３】同制御構造の断面図
【図４】同制御構造の動作原理イメージ図
【図５】同制御構造の動作原理イメージ図
【図６】同制御構造の動作例（特にドロップ穴の封止状態）を示す断面斜視図
【図７】同制御構造の動作例（特に使用時のドロップ穴の封止状態）を示す断面図
【図８】同制御構造の動作例（特に使用時のドロップ穴の開状態）を示す断面斜視図
【図９】同実施の形態における昇降調整式自動ブルーワーを示す斜視図
【図１０】同ブルーワーの分解斜視図
【図１１】同ブルーワーの断面図
【図１２】同ブルーワーの平面断面図
【図１３】同ブルーワーの使用例を示す斜視図
【図１４】同ブルーワーの動作例（特に使用時のドロップ穴の封止状態）を示す断面図
【図１５】同ブルーワーの動作例（特に使用時のドロップ穴の開状態）を示す断面図
【符号の説明】
【００２４】
１００  ブルーワー
１０  制御構造
１  カップ
１１  ドロップ穴
１２  バルブスロット
１３  杯座
１４  弧形凸部
１５  凸階部
１６  枢着部
２  逆止弁
２１  シールドパッキン
２１１  中央穴
２１２  環状溝
２２  柵
２２１  柵穴
２３  ボールバルブ
３  昇降座
３１  カップ槽
３２  昇降ガイドレール
３３  スティック
３４  スティック
３５  ストッパー
３６  固定用ブロック
３７  欠け口
４  受けポット
４１  給水口
５  ラック
５１  斜め切り穴
５２  貫通穴
５３、５４  フィルター
６  カップ蓋
７  内容物
【図１】
0003113882.tif 000003
【図２】
0003113882.tif 000004
【図３】
0003113882.tif 000005
【図４】
0003113882.tif 000006
【図５】
0003113882.tif 000007
【図６】
0003113882.tif 000008
【図７】
0003113882.tif 000009
【図８】
0003113882.tif 000010
【図９】
0003113882.tif 000011
【図１０】
0003113882.tif 000012
【図１１】
0003113882.tif 000013
【図１２】
0003113882.tif 000014
【図１３】
0003113882.tif 000015
【図１４】
0003113882.tif 000016
【図１５】
0003113882.tif 000017